(57)【要約】【課題】転写時のトナーのチリ現象の発生を防止し、画質が良く、転写効率に優れ分離性能の良い転写露光装置を有する画像形成装置を提供すること。【解決手段】感光体と、放電ワイヤを有し、転写材が該感光体に当接した後で放電ワイヤの放電によりトナー像を転写材に転写する転写装置と、転写材が当接した感光体表面を転写材の背面から露光する転写露光装置と、転写完了後の転写材を感光体から分離する分離装置と、感光体、転写装置、及び転写露光装置の動作を制御する制御手段と、を有する画像形成装置において、前記転写材を当接した前記感光体表面が前記放電ワイヤの放電により形成される転写領域に到達したときに初めて、前記転写露光装置による光が前記感光体表面を照射するよう、前記制御手段により制御されることを特徴とする画像形成装置。【選択図】        図４
2004219543.tif 000002
【特許請求の範囲】
【請求項１】
トナー像を搭載する感光体と、
放電ワイヤを有し、転写材が該感光体に当接した後で転写領域における前記放電ワイヤからの放電により前記トナー像を前記転写材に転写する転写装置と、
前記転写材が当接した前記感光体表面を転写領域にて当該転写材の背面から露光する転写露光装置と、
転写完了後の転写材を前記感光体から分離する分離装置と、
前記感光体、前記転写装置、及び前記転写露光装置の動作を制御する制御手段と、を有する画像形成装置において、
前記転写材を当接した前記感光体表面が前記放電ワイヤの放電により形成される転写領域に到達したときに初めて、前記転写露光装置による光が前記感光体表面を照射するよう、前記制御手段により制御されることを特徴とする画像形成装置。
【請求項２】
トナー像を搭載する感光体と、
放電ワイヤを有し、転写材が該感光体に当接した後で転写領域における前記放電ワイヤからの放電により前記トナー像を前記転写材に転写する転写装置と、
前記転写材が当接した前記感光体表面を転写領域にて当該転写材の背面から露光する転写露光装置と、
転写完了後の転写材を前記感光体から分離する分離装置と、
前記感光体、前記転写装置、及び前記転写露光装置の動作を制御する制御手段と、を有する画像形成装置において、
前記転写材を当接した前記感光体表面が前記放電ワイヤの放電により形成される転写領域に到達したときの前記転写露光装置による感光体表面の光量分布を、感光体表面が前記放電ワイヤに最も近接している地点から感光体回転方向上流側における露光光量の積分値が前記転写露光装置による全体の露光光量の１０〜３０％となるように、かつ、前記上流側の露光の端部が転写領域内であるように構成したことを特徴とする画像形成装置。
【請求項３】
前記転写露光装置と前記感光体との間に当該転写露光装置からの光の一部を遮蔽する遮蔽部材を設けたことを特徴とする請求項１または２に記載の画像形成装置。
【発明の詳細な説明】
【０００１】
【発明の属する技術分野】
本発明は、電子写真方式を利用した複写機、プリンタ、ファクシミリ等の画像形成装置に関し、特に、トナー像の転写時に感光体表面を露光する構成を有する画像形成装置に関する。
【０００２】
【従来の技術】
一様に帯電されている感光体表面に露光手段を用いて静電荷潜像を形成し、トナーを搭載した現像手段により静電荷潜像をトナー像となし、次いで、転写領域に搬送された転写材上に転写手段によってトナー像を感光体から転写させ、分離手段を用いて感光体から転写材を分離し、定着装置に送り込み、加熱・加圧作用でトナー像を定着させ、排紙手段により装置外に設けたトレイに排紙する構成の画像形成装置はよく知られており、トナー像を感光体から転写材に転写させるとき、転写効率を上げ分離性能を向上させるため、転写前露光または転写同時露光を行うこともよく知られている。
【０００３】
例えば、転写電極内部に光源を設け、電界の印加と同時に光を照射し、感光体上の電荷を除電しながら転写する技術が開示されている（特許文献１参照）。
【０００４】
しかしながら、特許文献１に開示された転写同時露光ランプは転写電極からの電圧印加による放電が及ぶ範囲（以下、転写領域ともいう。）、即ち、トナーへの吸引力が有効に作用する転写電極近傍、以外の範囲までも照射する構成となっているため、感光体表面の電位の低下により静電吸着したトナーが移動し易い状態となり、所謂チリ現象が発生し易くなる（図６は、転写電極からの放電がトナーへの吸引力として有効に作用する範囲から外れた地点まで転写同時露光ランプの光が照射された例であるが、図６の詳細な説明は後述する。）。
【０００５】
なお、ここでいうチリ現象とは、転写材と感光体とがうまく密着していない状態で、かつ、転写電極の作用下に転写材を介して感光体を露光除電したとき、トナー像の一部が感光体上から転写材上の本来転写されるべきではない位置に転写してしまい、できあがりの画像に乱れ（散り）を生じる現象をいう。
【０００６】
前記チリ現象を防止するため、転写と同時に照射される転写同時露光装置の露光が、転写材が感光体に当接する前の感光体には照射されないように照明範囲限定手段を設けた画像形成装置に関する技術が開示されている（特許文献２参照）。特許文献２の技術の概要は下記に示した通りである。
（１）転写材が感光体に当接する前の感光体に転写同時露光装置の露光が照射されない照明範囲限定手段を設ける。
（２）転写前の感光体とトナーを転写材背面から交流帯電させる交流帯電手段を設ける。
【０００７】
図８は、特許文献２に開示された画像形成装置の実施例の断面図である。１ａは、透明な感光体ベルトで、当該感光体ベルト１ａの内側に転写同時露光ランプ６及びその遮光板６１が配設され、転写材搬送路１１より搬送される転写材Ｐが感光体ベルト１ａに当接してから転写と同時に転写同時露光ランプ６の光が感光体ベルト１ａを照射する構成となっている。即ち、転写材Ｐが感光体ベルト１ａに当接する前は、遮光板６１により転写同時露光ランプ６の光が遮られ感光体ベルト１ａに照射されないようになっているため、前記チリ現象は発生しないという内容である。
【０００８】
ところが、上記技術（１）では、転写材Ｐが感光体ベルト１ａに当接する前には転写同時露光ランプ６の光が感光体ベルト１ａを照射しないように遮光板６１を設けているが、転写材Ｐが感光体ベルト１ａに当接した後、転写材Ｐに転写放電がかかる前に感光体ベルト１ａを露光しているために、その間で感光体ベルト１ａが除電され、画像周囲にトナーが散ることが避けられない。
【０００９】
上記技術（２）においても、転写される前に感光体ベルト１ａ上の電荷が交流帯電により除電されるため、上記技術（１）と同様に周囲へのトナーの散りが発生する。
【００１０】
トナーの散りを低減させるためには、転写同時露光ランプ６の光量や転写前交流帯電の電荷量を少なくすればよいが、その場合、当初の目的である転写効率や分離性能の向上は達成が困難となる。
【００１１】
特に、一度定着装置を通過して、熱と圧力により波打った転写材に転写する裏面コピーや、転写材の最後端のように比較的感光体への密着力が得にくく転写材の波打ちが大きい場合に、転写時のトナーの散りは顕著に発生し、文字ニジミ等の不具合が発生する。
【００１２】
また、近年急速に普及が進んでいるレーザやＬＥＤを用いたデジタル露光方式の複写機やプリンタでは、網点を用いた画像により中間調の画像を再現する場合が多いため、網点を形成するドットの周囲にトナーが散ったときに画像濃度が高く見え、中間調の画像での濃度ムラの発生に繋がる。
【００１３】
更に、裏面が網点で形成された中間調の画像の場合は、表面にトナーが無い部分にはトナーが散るのに対し、表面にトナーが有る部分では感光体に到達する光量が減少してトナーの散りが低減するため、その部分が薄く見え、所謂ゴーストのような不良画像となる。
【００１４】
【特許文献１】
実公昭４０−１７４１２号公報（第１頁、第３図）
【００１５】
【特許文献２】
特開平６−１７５４４０号公報（段落００１６項、第１図）
【００１６】
【発明が解決しようとする課題】
本発明の目的は、上記の課題を解決し、転写効率及び分離性能が良く、転写時におけるトナーのチリ現象の発生を防止し、文字ニジミや網点で形成された中間調画像での濃度ムラが無く、かつ、表面のトナー画像の有無に起因する裏面ゴーストの無い、良好な画像を得ることができる転写露光装置を有する画像形成装置を提供することである。
【００１７】
【課題を解決するための手段】
本発明は、以下に記載の構成により達成される。
【００１８】
（１）トナー像を搭載する感光体と、
放電ワイヤを有し、転写材が該感光体に当接した後で転写領域における前記放電ワイヤからの放電により前記トナー像を前記転写材に転写する転写装置と、
前記転写材が当接した前記感光体表面を転写領域にて当該転写材の背面から露光する転写露光装置と、
転写完了後の転写材を前記感光体から分離する分離装置と、
前記感光体、前記転写装置、及び前記転写露光装置の動作を制御する制御手段と、を有する画像形成装置において、
前記転写材を当接した前記感光体表面が前記放電ワイヤの放電により形成される転写領域に到達したときに初めて、前記転写露光装置による光が前記感光体表面を照射するよう、前記制御手段により制御されることを特徴とする画像形成装置。
【００１９】
（２）トナー像を搭載する感光体と、
放電ワイヤを有し、転写材が該感光体に当接した後で転写領域における前記放電ワイヤからの放電により前記トナー像を前記転写材に転写する転写装置と、
前記転写材が当接した前記感光体表面を転写領域にて当該転写材の背面から露光する転写露光装置と、
転写完了後の転写材を前記感光体から分離する分離装置と、
前記感光体、前記転写装置、及び前記転写露光装置の動作を制御する制御手段と、を有する画像形成装置において、
前記転写材を当接した前記感光体表面が前記放電ワイヤの放電により形成される転写領域に到達したときの前記転写露光装置による感光体表面の光量分布を、感光体表面が前記放電ワイヤに最も近接している地点から感光体回転方向上流側における露光光量の積分値が前記転写露光装置による全体の露光光量の１０〜３０％となるように、かつ、前記上流側の露光の端部が転写領域内であるように構成したことを特徴とする画像形成装置。
【００２０】
（３）前記転写露光装置と前記感光体との間に当該転写露光装置からの光の一部を遮蔽する遮蔽部材を設けたことを特徴とする（１）または（２）に記載の画像形成装置。
【００２１】
【発明の実施の形態】
本願発明に係る実施の形態を、以下、図面に基づいて説明する。
【００２２】
図１は、複写機等の画像形成装置の主要構成を示す模式的概略図である。
図において、感光体ドラム（以下、感光体という）１は光導電性を有する円筒状の回転体で時計方向に回転する。感光体１の周囲には、感光体１の回転方向の順に、感光体１の表面に一様に電荷を付与する帯電装置２、帯電された感光体１上に画像データに応じた光を投与して静電潜像を形成する露光手段３、感光体１上に形成された静電潜像にトナーを付与しトナー像とする現像装置４、感光体１と当接する転写材Ｐ、感光体１上のトナー像を転写材Ｐ上に転写する転写装置５、転写装置５の背面に配設し感光体１表面を照射する転写露光装置６、転写後の転写材Ｐを分離する分離装置７、感光体１表面の転写残トナーを除去するクリーニング装置８、及び、感光体１表面の残留電位を除去する帯電前露光ランプ（以下、ＰＣＬともいう。）９、が配設される。
【００２３】
次に、本実施の形態における画像形成装置の動作について説明する。
画像形成装置に内蔵された制御手段（不図示）は、図示しないコピースイッチのオン等の入力信号によって画像形成開始信号を受け、図示しない感光体駆動モータの駆動手段へ電気信号を送り、感光体１を駆動すると共に、感光体１上に形成された前画像の表面電位の影響を排除するために帯電前露光ランプ（ＰＣＬ）９を点灯させる。次に、感光体１の表面は帯電装置２によって帯電される。帯電装置２は、例えば、放電ワイヤを備えたスコロトロン帯電器またはコロトロン帯電器であって、帯電器に電圧を印加するための高圧電源（不図示）等を備え、高圧電源の出力電圧は前記制御手段により制御され、感光体１の表面に一様に電荷を与える。
【００２４】
帯電装置２により表面を帯電された感光体１は、回転を継続しながら露光手段３から光を投与され、静電潜像が形成される。露光手段３としてはレーザー露光系やＬＥＤを用いた露光方法による走査方式等が用いられる。
【００２５】
潜像を形成された感光体１は、更に回転を続け現像装置４に達し、現像装置４により前記静電潜像がトナー像として顕像化される。現像装置４は、トナー及びキャリアからなる２成分現像剤を保持し回転搬送する現像剤担持体（不図示）と、現像剤担持体に高圧を印加し、その出力電圧を０〜−１０００ボルトの間の電圧値とすることが可能な現像バイアス電源（不図示）とを有している。
【００２６】
現像装置４によってトナー像を形成された感光体１は更に回転を継続し転写領域に達し、転写装置５及び転写露光装置６の作用により転写材Ｐ上にトナー像を転写する。転写後の転写材Ｐは分離装置７により感光体１より分離され、定着装置（不図示）によって加熱定着され、排紙皿（不図示）に排出される。転写材Ｐを分離した感光体１はクリーニング装置８により転写残トナーを除去される。
【００２７】
図２は、転写露光装置による光の感光体表面上の光量を測定してプロットした、光量分布を示すグラフである。図３は、感光体表面の光量値を計測するための一実施例を示す模式的断面図である。
【００２８】
図２において、縦軸は感光体表面の光量（測定方法は後述）を表し、横軸は、転写装置５の放電ワイヤと感光体の中心点とを結ぶ直線Ａと感光体表面との交点を０（ゼロ）とし（図３参照）、前記直線Ａに対し中心角θ°をなす直線Ｂで感光体表面を刻んだ点ｘを直線上に展開して表したものであり、転写露光装置による光の感光体表面上の光量を、本発明に係る第１、第２の実施の形態、及び従来の第１、第２の比較例について測定してプロットした、光量分布を示すグラフである。図３における感光体回転方向（矢示）の上流側（以下、単に上流側という。）を正の値、感光体回転方向の下流側（以下、単に下流側という。）を負の値として図２に表す。実線の太線で表す曲線ａは本発明に係る第１の実施の形態における感光体１の表面の光量を測定してプロットした光量分布を示し、実線で表す曲線ｂは本発明に係る第２の実施の形態、波線の太線で表す曲線ｃは従来の第１の比較例、波線で表す曲線ｄは従来の第２の比較例、についてのそれぞれの光量分布を示す。Ｔは転写電極の放電領域を示す。
【００２９】
実施例での感光体表面光量の測定方法における構成は、図３の如く、感光体表面に開口部を設け、その開口部に安藤電気（株）製のオプティカルパワーメータ（型式ＡＱ１１３５）ＰＭに接続した光センサＰＳ（型式ＡＱ１９７４）を挿入、固定し、当該光センサＰＳの受光面が感光体表面と一致するように配設している。また、感光体１表面に対向する位置に放電ワイヤ５１と開口スリット５２とを備えた転写電極５を配設している。実際の測定は、転写電極５の背後に配設した転写露光装置６から光を発し、感光体１を回転させながら光センサＰＳを介してオプティカルパワーメータＰＭの出力値（μＷ）を読む。この出力値をプロットしたグラフが図２のグラフである。
【００３０】
図２から、曲線ｃには転写領域Ｔから外れた領域があり、画像のチリ現象が発生し易いことが判る。また、曲線ａ、ｂは転写領域Ｔ内にあり、放電ワイヤ５１と感光体１の中心点とを結ぶ直線Ａから上流における光量も曲線ｄに比べて多いため、転写時または転写前の露光として効果的に作用していることが判る。曲線ｄは転写領域Ｔ内にはあるが前記直線Ａから上流での光量が少ないため、転写時または転写前の露光の目的の一つである転写効率や分離性能の向上という点で問題がある。
【００３１】
図４は、本発明に係る第１の実施の形態としての転写装置と転写露光装置との位置関係を説明するための模式的断面図であり、図５は、本発明に係る第２の実施の形態としての転写装置と転写露光装置との位置関係を説明するための模式的断面図である。
【００３２】
図４において、転写装置５の底面には放電ワイヤ５１の張設方向と平行な方向に延びた開口スリット５２を形成し、転写露光装置６は転写装置５を挟んで感光体１と対向した位置に配設される。転写露光装置６からの光は、開口スリット５２を通り感光体１の表面に照射される。
【００３３】
次に、図４を用いて、第１の実施の形態における転写露光装置６と転写装置５との位置関係を説明する。感光体１表面上における放電ワイヤ５１との最近接点をＳ（図３の０点と一致）とし、転写露光装置６から感光体１表面に照射する光の、感光体回転方向の上流側（以下、単に上流側という。）端部をＲ１、感光体回転方向の下流側（以下、単に下流側という。）端部をＬ１とする。感光体１表面の上流側端部Ｒ１から下流側端部Ｌ１までの全体の光量は光量分布曲線ａを下流側端部Ｌ１から上流側端部Ｒ１まで積分した値で表され、この積分値を光量Ｍ１で表したとき、前記最近接点Ｓから上流側端部Ｒ１までを積分した値（光量）が（３０／１００）Ｍ１となるように、転写露光装置６の位置と転写装置５の開口スリット５２の開口幅寸法とを設定している。また、ここで設定される前記上流側端部Ｒ１の位置は転写領域内であることが条件となる（図２参照）。
【００３４】
図５において、転写装置５の底面に設けた開口スリット５２と、転写装置５を挟んで感光体１と対向した位置に転写露光装置６を配設した構成は、図４と同一であるが、図５では、転写装置５と転写露光装置６との間に、転写露光装置６からの光の上流側端部Ｒ２の位置を規制する遮蔽部材である遮蔽板６１を設けている。
【００３５】
第１の実施の形態と同様に、第２の実施の形態における転写露光装置６と転写装置５との位置関係は遮蔽板６１を除いては同一で、遮蔽板６１により前記光の上流側端部Ｒ２の位置を規制し、転写露光装置６から感光体１表面に照射される光の上流側端部をＲ２、下流側端部をＬ２としたとき、感光体１表面の上流側端部Ｒ２から下流側端部Ｌ２までの全体の光量は光量分布曲線ｂを下流側端部Ｌ２から上流側端部Ｒ２まで積分した値（光量）Ｍ２で表され、前記最近接点Ｓから上流側端部Ｒ２までの積分値（光量）が（１０／１００）Ｍ２となるように、転写露光装置６の転写装置５の位置と開口スリット５２の開口幅寸法とを設定している。前記上流側端部Ｒ２の位置が、転写領域内であることは第１の実施の形態と同様である。
【００３６】
図６及び図７は、従来の転写装置と転写露光装置との位置関係を説明するための模式的断面図であり、図６は第１の比較例、図７は第２の比較例を示す図である。図６及び図７において画像形成装置を構成する部材は図４と同一であり、転写装置５と転写露光装置６との位置が異なっているだけであるので、構成部材の符番は同一とし構成についての説明は省略する。但し、第１の比較例においては、転写露光装置６からの光が転写領域を外れた範囲（上流側）にまで感光体１表面を照射し（図２参照）、第２の比較例においては、感光体１表面が転写材Ｐを当接して転写領域へ到達しても、転写露光装置６からの光が放電ワイヤ５１との最近接点Ｓに近い領域までしか達していないという点において、本発明に係る第１、第２の実施の形態との違いがある。この違いについては図６及び図７を用いて以下に詳しく述べる。
【００３７】
図６（第１の比較例）において、転写露光装置６からの光の感光体１表面への下流側端部Ｌ３から上流側端部Ｒ３までの全体の光量（算出法は第１、第２の実施の形態に同じ）をＭ３で表したとき、放電ワイヤ５１との最近接点Ｓから上流側端部Ｒ３までの光量（算出法は第１、第２の実施の形態に同じ）が（３５／１００）Ｍ３となるように転写露光装置６の転写装置５の位置と開口スリット５２の開口幅寸法とを設定している。この比較例においては転写露光装置６からの光が感光体１表面の上流側端部Ｒ３まで投与されるが、この位置では転写領域を外れており放電ワイヤ５１の放電によるトナー吸引力が弱いため、前記チリ現象が発生し易い。
【００３８】
図７（第２の比較例）において、第１の比較例と同様に、転写露光装置６からの光の感光体１表面への下流側端部Ｌ４から上流側端部Ｒ４までの全体の光量をＭ４で表したとき、放電ワイヤ５１との最近接点Ｓから上流側端部Ｒ４までの光量が（７／１００）Ｍ４となるように転写露光装置６の転写装置５の位置と開口スリット５２の開口幅寸法とを設定している。この比較例においては転写露光装置６からの光が感光体１表面の上流側端部Ｒ４までしか届かず、この位置では上流側における転写時の露光の効果が少ないため感光体１表面の電位が十分に下がらず、転写効率が悪く分離性能も低下する。
【００３９】
表１は、本発明に係る第１、第２の実施の形態、及び従来の第１、第２の比較例をまとめた実験結果を示すものである。
【００４０】
【表１】
2004219543.tif 000003
【００４１】
（１）画像形成条件
・感光体：チタニルフタロシアニン顔料使用の有機感光体、直径１００ｍｍ
・感光体線速度：４２０ｍｍ／ｓｅｃ
・感光体電位：未露光部−７５０Ｖ、露光部−１００Ｖ
・現像バイアス：−６００Ｖ（反転現像）
・転写電流：６０μＡ（転写放電させた時に導電性の感光体に流れる電流）
・分離ＡＣ電流：２２０μＡ（分離放電させた時に導電性の感光体に流れる電流）
・分離ＤＣ電流：−５０μＡ（分離放電させた時に導電性の感光体に流れる電流）
（２）評価方法
・網点濃度ムラ：５０％網点の中間調画像における濃度ムラの有無を目視にて判定。
・文字ニジミ：英文５．５ポイント文字のニジミの有無を目視にて判定。
・裏面ゴースト：転写材の表面に７２ポイント文字を印字した後、裏面の全面に５０％網点の中間調画像を形成したときの画像に裏面ゴーストが発生するか否かを目視にて判定。
・転写効率：転写材に転写されたトナーの質量と感光体上の転写残トナーの質量とを測定し、全体のトナーの質量に対する転写材に転写されたトナーの質量を％で表し比較する。
・分離性能：坪量６４ｇ／ｍ３の上質紙を使用して確認する。
【００４２】
（３）結果
・本発明に係る第１、第２の実施の形態では、いずれの項目も良好な結果であった。
・第１の比較例では、転写時のトナーのチリ現象により、網点濃度ムラ、文字ニジミ、及び裏面ゴーストが発生した。
・第２の比較例では転写効率が８６％と悪く、分離性能にも問題が発生した。
【００４３】
上記の実験結果により、転写露光装置６からの光の感光体１表面への照射幅に対する前記上流側照射幅が全体の照射幅に対して１０〜３０％であれば、画像のチリ現象、転写効率、及び分離性能に問題が生じないことが判明した。
【００４４】
【発明の効果】
転写露光装置による露光が転写装置の放電ワイヤによるトナー吸引力の有効に作用する範囲（転写領域）内とする本発明に係る画像形成装置を用いることにより、転写効率及び分離性能が良く、転写時のトナーのチリ現象の発生を防止し、文字ニジミや網点で形成された中間調画像での濃度ムラが無く、かつ、表面のトナー画像の有無に起因する裏面ゴーストの無い、良好な画像を得ることができる転写露光装置を有する画像形成装置を提供することができる。
【図面の簡単な説明】
【図１】複写機等の画像形成装置の主要構成を示す模式的概略図である。
【図２】転写露光装置による光の感光体表面上の光量を測定してプロットした、光量分布を示すグラフである。
【図３】感光体表面の光量値を計測するための一実施例を示す模式的断面図である。
【図４】本発明に係る第１の実施の形態としての転写装置と転写露光装置との位置関係を説明するための模式的断面図である。
【図５】本発明に係る第２の実施の形態としての転写装置と転写露光装置との位置関係を説明するための模式的断面図である。
【図６】従来の転写装置と転写露光装置との位置関係を説明するための模式的断面図である。
【図７】従来の転写装置と転写露光装置との位置関係を説明するための模式的断面図である。
【図８】特許文献１における発明に係る画像形成装置の実施例の断面図である。
【符号の説明】
１  感光体
５  転写装置
６  転写露光装置
７  分離装置
５１  放電ワイヤ
５２  開口スリット
Ｍ１、Ｍ２、Ｍ３、Ｍ４  積分により得た光量値
Ｓ  感光体１表面上における放電ワイヤ５１との最近接点
Ｒ１、Ｒ２、Ｒ３、Ｒ４  転写露光装置６から感光体１表面に照射する光の感光体回転方向の上流側端部
【図１】
2004219543.tif 000004
【図２】
2004219543.tif 000005
【図３】
2004219543.tif 000006
【図４】
2004219543.tif 000007
【図５】
2004219543.tif 000008
【図６】
2004219543.tif 000009
【図７】
2004219543.tif 000010
【図８】
2004219543.tif 000011